(57)【特許請求の範囲】
【請求項１】
電波ノイズを放射するノイズ放射部品を支持する支持体と、この支持体の少なくとも前記ノイズ放射部品を覆うようにして取り付けるカバー形態からなりかつその支持体の少なくとも直線的な端縁部に平面状のカバー端面部を接合させた状態で取り付ける接合取付部を有する遮蔽カバーとを備えた電波ノイズの放射防止構造体において、
前記支持体の前記接合取付部となる端縁部をその外側に突出させた突出形状とし、その突出形状の端縁部に前記遮蔽カバーの端面部を弾性変形させた状態で圧接させることを特徴とする電波ノイズの放射防止構造体。
【請求項２】
請求項１に記載の構造体において、
前記支持体の端縁部における突出形状が、一連の円弧曲線を描く円弧状の突出形状、又は変曲角部が形成されるように突出する変曲状の突出形状の少なくとも一方である電波ノイズの放射防止構造。
【請求項３】
請求項１又は２に記載の構造体において、
前記遮蔽カバーの前記接合取付部となる端面部の一部にスリットを形成した電波ノイズの放射防止構造体。
【請求項４】
請求項３に記載の構造体において、
前記支持体の端縁部における突出形状を変曲状の突出形状とする場合、前記遮蔽カバーの端面部におけるスリットを少なくとも前記突出形状の変曲角部と対応する位置に形成した電波ノイズの放射防止構造体。
【請求項５】
請求項１乃至３のいずれかに記載の構造体において、
前記遮蔽カバーの前記接合取付部となる端面部の端部に、少なくとも内側に曲がった曲げ部を形成した電波ノイズの放射防止構造体。
【請求項６】
読み取り対象の画像を有する原稿からの反射光を受光して電気信号に変換する撮像素子を支持する支持板と、この支持板の少なくとも前記撮像素子を覆うようにして取り付けるカバー形態からなりかつその支持板の少なくとも直線的な端縁部に平面状のカバー端面部を接合させた状態で取り付ける接合取付部を有する遮蔽カバーとからなる電波ノイズの放出防止構造体を備えた画像読取装置であって、
前記電波ノイズの放出防止構造体として、請求項１乃至５のいずれかに記載の電波ノイズの放出防止構造体を適用することを特徴とする画像読取装置。
【発明の詳細な説明】
【０００１】
【発明の属する技術分野】
本発明は、電波ノイズの放射防止構造体及びそれを用いた画像読取装置に関するものである。
【０００２】
【従来の技術】
電気機器、電子回路等の部品から放射される電波ノイズが外に漏れ出ることを防止する電波ノイズの放射防止構造体としては、一般に、図１１に示すように、電波ノイズを放射するノイズ放射部品１１０を支持する支持体１２０に、少なくともノイズ放射部品１１０を覆うようにして取り付けるカバー形態からなる導電性を有する遮蔽カバー１３０を取り付けた構造体が知られている（特開平１−２１４１９９号公報、特開平６−２９１４８５号公報など）。遮蔽カバー１３０は、通常、その端部の数箇所をネジ１４０用いて支持体１２０にネジ止め固定している。
【０００３】
そして、このような電波ノイズの放射防止構造体においては、その組み立て作業の簡略化や、ネジ止め固定による支持体１２０の歪み発生の防止などの観点から、図１２に示すように、支持体１２０の少なくとも直線的な端縁部１２１に遮蔽カバー１３０の平面状の端面部１３１を接合させた状態で取り付ける接合取付部を採用することが知られている。
【０００４】
例えば、このような接合取付部を採用することは、照明された原稿からの反射光をＣＣＤ（電荷結合素子）センサ等の撮像素子に電気信号に変換して原稿の画像を読み取るデジタル光学系の画像読取装置において、その撮像素子から放射される電波ノイズを外部に漏らさないように、撮像素子（１１０）を支持する支持板（１２０）に前述したような遮蔽カバー（１３０）をネジ止め固定して電波ノイズの放射防止構造を採用する場合、その支持板（１２０）に支持する撮像素子（１１０）や結像レンズ等の光学部品がきわめて高い取付位置精度が求められているため、かかるネジ止め固定（ネジ締結力）によって支持板（１２０）が歪み、その歪みの影響で上記各部品の取付位置に狂いが生じ、ひいては光軸のずれが発生して画像読取精度が低下するという不具合を回避できるようになり、有効である。
【０００５】
【発明が解決しようとする課題】
しかしながら、このような接合取付部を採用した電波ノイズの放射防止構造体（この構造体を用いた画像読取装置等の電気関連機器も含む）にあっては、次のような課題がある。
【０００６】
すなわち、図１３に示すように、その接合取付部が支持体１２０の直線的な端縁部１２１と遮蔽カバー１３０の平面状の端面部１３１とを接合させるものであることから、かかる接合取付部では、その端縁部１２１と端面部１３１とが密着しないで線状の隙間１５０を形成しやすくなり、この結果、その隙間１５０となる支持体１２０又は遮蔽カバー１３０の端部がアンテナとなって新たな電波ノイズ（ＥＮ）を放射するようになるのである。このような電波ノイズは、上記隙間１５０が直線状の隙間となりかつその隙間１５０の長さが電波ノイズの波長λ（＝ｃ／ｆ、ｃ：光速、ｆ：クロック周波数）の１／２以上になると、アンテナ効果により放射されやすくなる。また、この隙間１５０は、遮蔽カバー１３０をネジ止め固定することによって遮蔽カバー１３０自体にも発生する歪みによっても発生しやすくなる。
【０００７】
本発明は、このような事情に鑑みてなされたものであり、電波ノイズを放射するノイズ放射部品を支持する支持体の少なくとも直線的な端縁部に遮蔽カバーの平面状の端面部を接合させた状態で取り付ける接合取付部において発生し得る電波ノイズの放射を簡便かつ安価に防止することができる電波ノイズの放射防止構造体及びそれを用いた画像読取装置を提供することを目的とする。
【０００８】
【課題を解決するための手段】
本発明の電波ノイズの放射防止構造体１は、図１に例示するように、電波ノイズを放射するノイズ放射部品２を支持する支持体３と、この支持体３の少なくとも前記ノイズ放射部品２を覆うようにして取り付けるカバー形態からなりかつその支持体３の少なくとも直線的な端縁部３ａに平面状のカバー端面部４ａを接合させた状態で取り付ける接合取付部５を有する遮蔽カバー４とを備えた電波ノイズの放射防止構造体において、前記支持体３の前記接合取付部５となる端縁部３ａをその外側（接合するカバー端面部４ａが存在する側）に突出させた突出形状とし、その突出形状の端縁部３ａａに前記遮蔽カバー４の端面部４ａを弾性変形させた状態で圧接させることを特徴とするものである。
【０００９】
ここで、上記ノイズ放射部品２は、電波ノイズを放射（発生）するものであれば特に限定されるものではなく、例えば高周波パルス等で駆動する電子部品が挙げられる。上記支持体３は、通常は板状の部材を適宜形態に成形してなるものであり、その全体（全面）が平面である必要は必ずしもないが、特にこの板状部材の成形品に限定されるものではない。上記遮蔽カバー４は、通常その全体のうちの要部が箱蓋状のカバー形態からなるものであるが、これに限られるものではなく、例えばその全体のうちの要部が半円筒状（かまぼこ形状）のカバー形態からなるものであってもよい。
【００１０】
また、上記支持体３及び遮蔽カバー４は、その表面が導電性を有する部材にて構成されているものが好ましく、具体的には、金属部材や、非導電性部材（例えばプラスチックやセラミック部材）に導電性を付与する表面加工を施した部材にて構成される。遮蔽カバー４の接合取付部５となる平面的な端面部４ａは、少なくとも弾性変形し得る材質又は肉厚からなる部材にて構成することが好ましい。さらに、遮蔽カバー４は、上記接合取付部５以外の取付部７がある場合、その取付部７はネジ等の固定治具８により固定する。
【００１１】
そして、支持体３の端縁部３ａａの突出形状は、遮蔽カバー４の接合取付部５となる端面部４ａがその端縁部３ａａの突出形状に追従するように弾性変形してほぼ密着し得る程度の緩やかな凸形状であることが好ましい。
【００１２】
このような本発明の構造体１によれば、その接合取付部５では、図１に示すように、支持体３の突出形状からなる端縁部３ａａに対し、遮蔽カバー４の平面的な端面部４ａが少し外側に膨らむ（せり出す）ような恰好で弾性変形した状態で圧接するようになる。すなわち、遮蔽カバー４の平面的な端面部４ａが、支持体３の端縁部３ａａにおける突出形状に追従するように変形した状態となるとともに、その変形に抗した復元力により当該支持体３の端縁部３ａａに押し付けられた状態（図１ｃ中の点線矢印Ｆで示す方向に押圧された状態）なる。これにより、接合取付部５における支持体３の端縁部３ａａと遮蔽カバー４の端面部４ａとが密着しやすくなり、直線状の隙間が発生しにくくなる。この結果、接合取付部５において発生する隙間に起因したアンテナ効果による電波ノイズの放射が抑制又は防止されるようになる。
【００１３】
また、この放射防止構造体１においては、図２に例示するように、前記支持体３の端縁部３ａａにおける突出形状が、一連の円弧曲線を描く円弧状の突出形状（同図ａ）、又は変曲角部３ｂが形成されるように突出する変曲状の突出形状（同図ｂ〜ｄ）の少なくとも一方である（その双方を組み合わせたものも含む）ことが好ましい。このうち変曲状の突出形状における（各）変曲角部３ｂに至るまでの部位の端縁は、直線（同図ｂ，ｃ）であっても、或いは曲線（同図ｄ）であっても、或いは直線と直線を組み合わせたものであってもよい。ちなみに、その変曲角部３ｂを多くすればするほど、上記突出形状は一連の円弧曲線を描く円弧状の突出形状に限りなく近づくものとなる。図中のαは、端縁部３ａａの突出形状における最大突出部の突出量を示す。
【００１４】
さらに、以上のような各構造体１においては、図３に例示するように、前記遮蔽カバー４の前記接合取付部５となる端面部４ａの一部にスリット（切り込み部）６を形成するとよい。このスリット６は、電波ノイズを放射するアンテナとして機能しない寸法形状で１つ又は複数形成される。即ち、スリット６は、その長さ（切り込み長さ）やスリットどうしの間隔が前述したように電波ノイズの波長λ（＝ｃ／ｆ）の１／２以下になるように形成される。例えば、１ＧＨｚで駆動する電子部品があれば、その電子部品からの電波ノイズの波長はλ＝３０ｃｍとなるので、スリット６の間隔及び開口は１５ｃｍ以下の寸法形状とする必要がある。また、このスリット６は、単数、複数のいずれであってもよい。このスリット６を複数形成する場合には、すべて同じ寸法形状のスリットとしても、或いは、異なる寸法形状のスリットとしてもよい。このようなスリット６を設けた場合には、遮蔽カバー４の平面的な端面部４ａがスリット６によって分割され、その分割された各端面部がより弾性変形しやすくなり（板バネのようになり）、支持体３の突出形状からなる端縁部３ａに対してより追従した状態で弾性変形しやすくなるとともにより圧接された状態となり、これにより密着しやすくなって隙間がより一層発生しにくくなる。特に遮蔽カバー４の端面部４ａの左右両端部における密着性が高められ、かかる左右両端部での隙間の発生が抑制される。
【００１５】
また、この遮蔽カバー４の端面部４ａにおけるスリット６は、図３ｂに例示するように、前記支持体３の端縁部３ａａにおける突出形状を変曲状の突出形状とする場合、少なくとも前記突出形状の変曲角部３ｂと対応する位置に形成するとよい。この場合には、支持体３の端縁部３ａａにおける変曲角部３ｂとその両脇部との遮蔽カバー４の端面部４ａ全体の良好な密着性が確保され、隙間がより発生しにくくなる。
【００１６】
更にまた、以上のような各構造体においては、図４に例示するように、前記遮蔽カバー４の前記接合取付部５となる端面部４ａの端部に、少なくとも内側（接合する支持体３の端縁部３ａが存在する側）に曲がる曲げ部９を形成するとよい。この曲げ部９は、例えば、内側に単に屈曲させた屈曲部であったり、内側に湾曲する湾曲部であり、遮蔽カバー４の端面部４ａを支持体３の端縁部３ａに接合させて取り付けた際に、その端縁部３ａとの当接位置の下側となる端面部４ａの端部部位に形成するとよい。この曲げ部９を形成した場合には、遮蔽カバー４の端面部４ａが支持体３の端縁部３ａに曲げ部９を介して係合した状態となり、その接合取付部５が安定した接合状態とすることができ、また、その遮蔽カバー４の端面部４ａと支持体３の端縁部３ａとの接合部で発生する僅かな隙間を曲げ部９で隠した状態とすることができる。
【００１７】
そして、このような各構造体１は、上述したごとき支持体３と遮蔽カバー４による構造により電波ノイズの放射を防止する技術分野であれば特に制約されることなく広く適用することができる。例えば、読み取り対象の画像を有する原稿からの反射光を受光して電気信号に変換する撮像素子（２）を支持する支持板（３）と、この支持板（３）の少なくとも前記撮像素子（２）を覆うようにして取り付けるカバー形態からなりかつその支持板（３）の少なくとも直線的な端縁部（３ａ）に平面状のカバー端面部（４ａ）を接合させた状態で取り付ける接合取付部（５）を有する遮蔽カバー（４）とからなる電波ノイズの放出防止構造体（１００）を備えた画像読取装置において、その電波ノイズの放出防止構造体（１００）として上述した各構造体（１）を適用することが可能である。この場合には、前記接合取付部（５）による支持体（３）の歪み発生による撮像素子（２）等の取付位置の狂い等の発生を防止できることをはじめ、その撮像素子（２）等の電子部品から放射される電波ノイズが上記接合取付部（５）で発生する隙間からアンテナ効果で放射されることを防止することができきわめて有効である。
【００１８】
【発明の実施の形態】
［実施の形態１］
図５は、本発明の実施の形態１に係る電波ノイズの放射防止構造体を採用した画像読取装置を示す概要図である。
【００１９】
この画像読取装置は、箱状の筐体１０の上部に原稿１１を載置するプラテンガラス（原稿台）１２がはめ込んで設けられており、このプラテンガラス１２の下方となる筐体１０の内部に縮小結像光学系を構成する第１のキャリッジ２０及び第２のキャリッジ２５と読取ユニット３０とが配設されている。
【００２０】
第１のキャリッジ２０は、図示されていないガイドレール上をプラテンガラス１２と平行に副走査方向（図中の左右方向）に往復移動する走査移動体であり、光源であるランプ（ハロゲンランプ、蛍光ランプなど）２１と、このランプ２１からの光を原稿面に反射させるリフレクタ２２と、原稿１１からの反射光Ｈ（その光軸を示している）を第２のキャリッジ２５側に反射させる反射ミラー２３とが搭載されている。一方、第２のキャリッジ２５は、図示されていないガイドレール上を第１キャリッジ２０の移動と連動して同じ副走査方向に１／２の速度で往復移動する走査移動体であり、上記反射ミラー２３で反射させた原稿からの反射光Ｈを読取ユニット３０側へと反射して導く２つの反射ミラー２６、２７が搭載されている。
【００２１】
読取ユニット３０は、筐体１０に固定して取り付けられる支持基板３１に、前記第２のキャリッジ２５における反射ミラー２６、２７で反射された原稿からの反射光Ｈを結像させる結像レンズ３２と、この結像レンズ３２で結像させた原稿からの反射光Ｈを光電変換して読み取るラインＣＣＤセンサ等の撮像素子３３とが搭載されている。このうち、結像レンズ３２はレンズブラケット３４を介して支持基板３１に固定されている。一方、撮像素子３３は、これを駆動する回路基板３５に実装されており、その回路基板３５が図示しないスタッド等の取付治具により基板取付用ブラケット３６に取り付けられたうえで、さらにその基板取付用ブラケット３６が支持板３７を介して支持基板３１に固定されているという取付構造になっている。ちなみに、上記レンズブラケット３４及び基板取付用ブラケット３６には、原稿からの反射光Ｈを通過させるための開口部がそれぞれ形成されている。
【００２２】
そして、この画像読取装置においては、プラテンガラス１２に読み取り対象となる画像が記録された原稿１１をその原稿面を下方にむけて載置した状態で、その原稿１１の原稿面がランプ２１及びリフレクタ２２により照明されて主走査方向（副走査方向と直交する方向、図１の紙面垂直方向）の走査がなされ、さらに第１キャリッジ２０及び第２キャリッジ２５の移動（図５中の２点鎖線で示す状態など参照）により副走査方向の走査がなされる。このとき、原稿からの反射光Ｈがミラー２３、さらにはミラー２６、２７を経由して結像レンズ３２に入射された後、その結像レンズ３２により撮像素子３３の撮像面に結像され、これによって原稿１１の画像が電気的に読み取られる。
【００２３】
しかも、この画像読取装置では、上記したような原稿１１をプラテンガラス１２に固定した状態でキャリッジ２０、２５を走査させて原稿の画像を読む原稿固定読み動作に加え、そのキャリッジ２０、２５をプラテンガラス１２の下方となる所定の読取位置に固定したうえで原稿１１を自動原稿送り装置等によりプラテンガラス１２を通過させるように送って原稿の画像を読む原稿流し読み動作を行うことが可能になっている。
【００２４】
また、この画像読取装置においては、図５〜図８に示すように、外乱光が撮像素子３３に入射するのを防止する遮光目的と、高周波のパルス信号によって駆動される電子部品である撮像素子３３から放射される高周波のノイズ（電波ノイズ）の放射を防止する遮蔽目的から、読取ユニット３０の結像レンズ３２及び撮像素子３３を含む光学読取系の全体を箱蓋状の遮蔽カバー４０で覆うようにしている。
【００２５】
すなわち、この画像読取装置では、撮像素子３３を搭載する支持基板３１と遮蔽カバー４０とで構成される電波ノイズの放射防止構造体１００を採用している。ここで、支持基板３１は、金属板（例えば厚さ１〜３ｍｍ程度の鋼板など）を所定の形態（この例では後方側が一段下がった形態）に成形したものである。また、遮蔽カバー４０は、金属薄板（厚さ０．３〜１ｍｍ程度のステンレス板など）を所定の形態（この例では下面が開口した箱蓋状の形態）に成形したものであり、撮像素子３３を含むその周辺部と結像レンズ３２の一部を覆うことができる大きさになっている。
【００２６】
そして、上記電波ノイズの放射防止構造体１００では、その遮蔽カバー４０の支持基板３１への取り付けに関して以下のように構成している。
【００２７】
すなわち、遮蔽カバー４０は、まず、その長方形の天板４１から垂直下方に折り曲げられた４つの平面状の側板４２〜４５のうち、結像レンズ３２側に位置する前方の側板４２とその左右端部と連なる２つの左右側板４３、４４の下端を各外側に折り曲げて突出させた固定用突片部４２ａ，４３ａ，４４ａにおいて固定用ネジ５１を用いて支持基板３１にネジ止め固定するようにしている。また、遮蔽カバー４０は、その結像レンズ３２とは反対側に位置する後方の側板４５の下端面部４５ａを支持基板３１の後方端部の端縁部３１ａに接合させた状態で取り付けるようにしている。以下、この遮蔽カバー４０における側部４５の端面部４５ａを支持基板３１の後方側の端縁部３２に接合させて取り付けている部分を「接合取付部５０」とする。
【００２８】
さらに、上記接合取付部５０については、図７や図９等に示すように、その支持基板３１の端縁部３１ａをその外側に円弧状に突出させた突出形状とし、その突出形状の端縁部３２に遮蔽カバー４０の端面部４５ａを弾性変形させた状態で圧接させるようにしている。上記端縁部３１ａの突出形状は、その最大突出部の突出量α（端縁部３１ａを突出形状としない直線的な端縁部（点線Ｅ）とした場合との離間距離）が３〜５ｍｍ程度（端縁部３１ａの幅Ｗが約２００ｍｍの場合）となるような円弧形状としている。図７等において、符号３１ｂは撮像素子３３の回路基板３５と図示していない画像信号処理基板や制御基板等とを接続するフラットケーブル等を通して引き出すために支持基板３１の後方端部に形成された切欠部、３１ｃは通気用に支持基板３１の後方端部に多数開設された小径の通気孔である。
【００２９】
一方、遮蔽カバー４０の接合取付部５０となる端面部４５ａには、図６、図７〜８に示すように、複数のスリット４６を形成している。このスリット４６は、電波ノイズのアンテナとして機能しないような寸法に適宜選定されるものであり、この実施の形態では、図９に示すようにそのスリット幅Ｍが約１〜２ｍｍ、そのスリット長さＬが約１５〜２０ｍｍの寸法からなるスリットを、端面部４５ａの幅（後述する切欠部４７の幅を除く）を等分するような位置にそれぞれ形成している。図６、図９等において符号４７は、前記支持基板３１の切欠部３１ｂにほぼ対応した位置に形成された切欠部であり、この切欠部４７も前記フラットケーブルを通すために使用されるとともに、スリット４６としても機能しうるようにもなっている。ただし、この切欠部１７の幅や高さの寸法も電波ノイズのアンテナとして機能しないような寸法に設定されていることは言うまでもない。また、符号４９は切欠部４７を形成するために側板４５を折り曲げた部分である。
【００３０】
また、遮蔽カバー４０の接合取付部５０となる端面部４５ａには、その末端部を内側に５〜１０°程度緩やかに曲げた曲げ部４８を形成している。ちなみに、遮蔽カバー４０は、その固定用突片部４２ａ，４３ａ，４４ａに位置決め孔４２ｂ，４３ｂ，４４ｂがそれぞれ開設されており、その各位置決め孔４２ｂ等を支持基板３１側に突設された位置決めピン３１ｐにはめ込むことで取付け時における遮光カバー４０の暫定的な位置決めがなされるようになっている。さらに、遮蔽カバー４０には、その天板４１や各側板４３〜４５のうち取付け時に撮像素子３３とその回路基板３５に近い位置となる部位に小径の通気孔４０ａが多数開設されている。
【００３１】
なお、図７、図８等において、符号１５は支持基板３１を取り付ける筐体１０の一部でもある支持フレーム、１６はこの支持フレーム１５の取付部に支持基板３１をネジ止めするネジである。この支持基板３１は、支持フレーム１５に対して位置調整可能に取り付けられており、その位置調整時の移動方向が位置調整用ガイド板１７、１８によって光軸（Ｈ）の方向及びそれと直交する方向へそれぞれガイド規制されるようになっている。
【００３２】
また、読取ユニット３０における結像レンズ３２については、図７等に示すように、レンズブラケット３４を介して支持基板３１に対して位置調整可能に取り付けられている。即ち、レンズブラケット３４は、最終的にネジ３４ａで支持基板３１に固定されるが、ブラケット３４側の光軸Ｈ方向に延びるガイド長孔３４ｂを支持基板３１側に突設されたガイドピンにはめ込むとともに、光軸Ｈ方向と直交する方向に延びる長孔３４ｃを支持基板３１側に形成された位置調整操作用の偏心カム３８にはめ込むようになっており、その偏心カム３８を適宜方向に回転操作することでレンズブラケット３４の全体がガイドピンに案内されて移動される。これにより、結像レンズ３２の光軸Ｈ方向における位置が微調整される仕組みになっている。
【００３３】
さらに、読取ユニット３０における撮像素子３３についても、図７等に示すように、支持板３７を介して支持基板３１に対して位置調整可能に取り付けられている。即ち、支持板３７は、最終的にネジ３７ａで支持基板３１に固定されるが、その一端部がネジ３７ａを支軸として回動可能に支持されているとともに、その他端部が光軸Ｈ方向と直交する方向に延びる切欠部３７ｂを支持基板３１側に形成された位置調整操作用の偏心カム３９にはめ込むようになっており、その偏心カム３９を適宜方向に回転操作することで支持板３７の全体がネジ３７ａを支軸として回動（揺動）される。これにより、撮像素子３３の光軸Ｈ方向に対する傾きが微調整される仕組みになっている。ちなみに、遮蔽カバー４０の天板４１には上記偏心カム３９を操作するための作業孔４１ａが開設されている。
【００３４】
このような遮蔽カバー４０の支持基板と３１への取り付け構成を採用する画像読取装置の電波ノイズ放射防止構造体１００では、上述したような支持基板３１の位置調整が終了した後に、遮蔽カバー４０の支持基板３１への取り付けが行われる。なお、遮蔽カバー４０を取り付けた後に、上述したような結像レンズ３２及び撮像素子３３の位置調整が行われる。
【００３５】
すなわち、遮蔽カバー４０は、まず、その固定用突片部４２ａ，４３ａ，４４ａの位置決め孔４２ｂ，４３ｂ，４４ｂを支持基板３１側の各位置決めピン３１ｐにそれぞれ嵌め入れるように誘導して支持基板３１上のカバー取り付け位置に載置する。この際、遮蔽カバー４０の後方側板４５の下端面部４５ａ（の内面部分）を支持基板３１の円弧形状の端縁部３１ａに外側から押し当てるようにして当接させるか、或いは、後方側板４５の下端面部４５ａを少し外側に膨らませるように変形させた状態で支持基板３１の円弧形状の端縁部３１ａにかぶせるように近づけて当接させる。そして、この位置決めが完了した段階で、遮蔽カバー４０は、その固定用突片部４２ａ，４３ａ，４４ａを固定用ネジ５１でネジ固定することによって、支持基板３１に固定された状態で取り付けられる。
【００３６】
これにより、撮像ユニット３０の撮像素子３１等から放射される電波ノイズは、原則的には遮蔽カバー４０によって遮断されて外部に放射されないようになる（厳密には、電波ノイズは導電性の遮蔽カバー４０及び支持基板３１を通して装置筐体１０側に逃がされて消滅する）。
【００３７】
また、遮蔽カバー４０と支持基板３１との接合取付部５０では、遮蔽カバー４０の平面的な端面部４５ａが、図１０に示すように少し外側に膨らむ（せり出す）ような恰好で、支持基板３１の円弧形状からなる端縁部３１ａに対して追従するごとく弾性変形した状態で圧接する。しかも、このとき、遮蔽カバー４０の端面部４５ａはスリット４６により細分割されていてより弾性変形しやすい状態にあるため、支持基板３１の円弧形状により忠実に追従した状態で変形して圧接する。図１０ｂの点線矢印Ｆは、遮蔽カバー４０の端面部４５ａの円弧形状からなる端縁部３１ａに対する押圧力とその方向を示している。さらに、遮蔽カバー４０の端面部４５ａは、その支持基板３１曲げ部４８により端縁部３１ａに係合された状態となることにより、端縁部３１ａとより確実に当接するようになる（図１０ａ，ｂ）。
【００３８】
この結果、図１０ｃ等に示すように、支持基板３１の円弧形状からなる端縁部３１ａと遮蔽カバー４０の端面部４５ａ（の内面側）とが良好に密着し、直線状の隙間が発生することがほとんでない。従って、接合取付部５０において直線状の隙間が発生した場合に起こるアンテナ効果による電波ノイズの放射も確実に抑えられるようになる。
【００３９】
また、遮蔽カバー４０は上記接合取付部５０を採用して支持基板３１に取り付けられていることにより、固定用ネジ５１のネジ固定（締結力）による支持基板３１の歪み発生が低減されており、かかる支持基板３１の歪みによる撮像ユニット３０における光学部品（結像レンズ３２、撮像素子３３）等の光軸の狂いが発生しにくくなっていることは言うまでもない。
【００４０】
【発明の効果】
以上説明したように、本発明の電波ノイズの放射防止構造体及びそれを用いた画像読取装置によれば、接合取付部となる支持体の端縁部をその外側に規則的に突出させた突出形状とし、その突出形状の端縁部に接合取付部となる遮蔽カバーの端面部を弾性変形させた状態で圧接させるようにしたので、かかる接合取付部において発生し得る電波ノイズの放射を簡便かつ安価に防止することができる。
【図面の簡単な説明】
【図１】  本発明の電波ノイズの放射防止構造体の概要を示すもので、（ａ）はその斜視図、（ｂ）はその上面図、（ｃ）は（ａ）のＣ−Ｃ線断面図。
【図２】  支持体の接合取付部となる端縁部の突出形状の代表例を示す説明図。
【図３】  接合取付部となる遮蔽カバーの端面部におけるスリットと支持体の端縁部との代表的な関係を示す説明図。
【図４】  接合取付部となる遮蔽カバーの端面部における曲げ部を示すもので、（ａ）はその断面部、（ｂ）はその使用時の状態を示す説明図。
【図５】  本発明の実施の形態１に係る画像読取装置を示す概略断面図。
【図６】  図５の画像読取装置における電波ノイズの放射防止構造体を示す斜視図。
【図７】  図６の電波ノイズの放射防止構造体（遮蔽カバーを外した状態）における支持基板を示す平面図。
【図８】  図７の支持基板に放射防止構造体における遮蔽カバーを取り付けた状態を示す平面図。
【図９】  図６の電波ノイズの放射防止構造体における接合取付部に係る遮蔽カバーの端面部と支持基板の端縁部との構成を示す説明図。
【図１０】  図６の電波ノイズの放射防止構造体における接合取付部の取り付け状態を示すもので、（ａ）はその遮蔽カバーの後方側から見たときの背面図、（ｂ）は（ａ）の一部縦断面図、（ｃ）は（ａ）その支持基板の下方から見たときの一部断面図。
【図１１】  従来の電波ノイズの放射防止構造体の概要を示すもので、（ａ）はその斜視図、（ｂ）はその上面図、（ｃ）は（ｂ）のＣ−Ｃ線断面図。
【図１２】  従来の接合取付部を採用した電波ノイズの放射防止構造体の概要を示すもので、（ａ）はその斜視図、（ｂ）は（ａ）のＢ−Ｂ線断面図。
【図１３】  従来の接合取付部において発生する隙間と電波ノイズの放射状態を示す要部説明図。
【符号の説明】
１，１００…電波ノイズの放射防止構造体、２…ノイズ放射部品、３…支持体、３ａ…端縁部、３ａａ…突出形状の端縁部、４，４０…遮蔽カバー、４ａ、４５ａ…端面部、５，５０…接合取付部、６、４６…スリット、９、４８…曲げ部、１１…原稿、３１…支持基板、３１ａ…円弧形状（突出形状）の端縁部、３３…撮像素子（ノイズ放射部品）、４５…端面部、Ｈ…原稿からの反射光。
【図１】
0003800013.tif 000002
【図２】
0003800013.tif 000003
【図３】
0003800013.tif 000004
【図４】
0003800013.tif 000005
【図５】
0003800013.tif 000006
【図６】
0003800013.tif 000007
【図７】
0003800013.tif 000008
【図８】
0003800013.tif 000009
【図９】
0003800013.tif 000010
【図１０】
0003800013.tif 000011
【図１１】
0003800013.tif 000012
【図１２】
0003800013.tif 000013
【図１３】
0003800013.tif 000014